(57)【要約】【課題】従来の、注ぐ時に蓋の落ちないようにした蓋付容器は、多くが蓋の嵌合をきつくしたりして蓋の落下を防いでいるため、力を加えて蓋の脱着をしなければならず、或いは特別な動作をしなければならず面倒であり、力の弱いお年寄や体の不自由な方達には不便である。それにこれらは、単に蓋が落ちないようにしただけであって面白さがない。【解決手段】取手の柄に容器を装飾し、かつ、蓋を押し支える役目をする蓋押え飾りを取付け、この飾り全体と飾りの一部が、重力に従って一定範囲内を動き或いは移動し、そして重力に従って元の位置の状態に戻る構成にした。これにより注ぐために容器を傾けると、蓋押え飾りが重力に従って蓋の方向に動き、かつ、蓋押え飾りの一部が更に動いて形状を面白く変化させ、蓋に干渉して支え、蓋の落下を防ぐので便利で、しかも飾りの可愛さや飾りの形の変化する面白さで、容器を使う人の心をなごませてくれる。【選択図】図１
2006298477.tif 000002
【特許請求の範囲】
【請求項１】
取手の柄５の根元側に、容器を装飾する飾り１を取付けた蓋付容器であって、この飾り１全体と、それに飾り１の一部が重力に従って一定範囲内を動き、又は傾き或いは移動し、そして重力に従って元の位置の状態に戻る構成にして、注ぐために容器３を傾けると、飾り１の全体が重力に従って傾き或いは動いて、蓋２の方向に移動し、かつ、飾り１の一部が更に傾き或いは動いて、飾り１の形状を変化させ、蓋２に干渉するようにしたもの。
【発明の詳細な説明】
【技術分野】
【０００１】  本発明は、注ぐ時に容器を傾けても蓋が落ちないようにした蓋付容器に関する。
【背景技術】
【０００２】  従来の、注ぐ時に蓋の落ちないようにした蓋付容器には、蓋の嵌合いをきつくしたものがある。【０００３】  又、蓋に形状記憶合金製のロック部材を取付けたものもある。【０００４】  更に、磁石の吸着力で蓋を保持する方式のものなどがある。【０００５】
【実用新案文献１】
平０５−４４０１８【特許文献１】  平１０−３２８０２９
【実用新案文献２】
平０５−５６０２６
【実用新案文献３】
平１０−３０５２５２６号
【発明の開示】
【発明が解決しようとする課題】
【０００６】  解決しようとする問題点は、注ぐ時に容器を傾けても蓋の落ちないようにした従来の蓋付容器の多くが、蓋の嵌合いをきつくしているために、力を加えて蓋の脱着をしなければならず面倒であり、力の弱いお年寄りや体の不自由な方達には使いにくく不便である。【０００７】  又、形状記憶合金製のロック部材を取付けたものは、冷水麦茶や常温水を入れて注ぐ場合には、蓋のロックが働かないので容器を傾けると、蓋は落ちてしまう欠点がある。【０００８】  そして磁石の吸着力で蓋を保持する方式のものは、磁気の関係で容器の材質が制限されたり、磁力で余分なものまで吸着する恐れもある。【０００９】  それにこれら従来品は、単に蓋が落ちないようにしただけであって、面白さがない。【０００１０】  本発明は、このような従来の蓋付容器が有している問題点を解決しようとするものであり、蓋の脱着に際し余分な力を加える必要がなく、蓋の持ち上げ持ち下げ以外に特別な動作をする必要もなく、熱湯にも冷水にも使えて、注ぐ時に何もしなくても蓋の落下が防げる便利さに加え、【００１１】  容器に可愛さや面白さを兼ね備えさせて、蓋付容器を楽しく使えるようにするために、なされたものである。
【課題を解決するための手段】
【００１２】  そして本発明は、上記目的を達成するために、取手の柄５の根元側に容器を装飾し、かつ、蓋２を押し支えて落下を防ぐ役目をする蓋押え飾り１を取付け、この飾り１全体と飾り１の一部が、重力に従って一定範囲内を動き又は傾き或いは移動し、そして重力に従って元の位置の状態に戻る構成にして、注ぐために容器３を傾けると、飾り１が重力に従って傾き或いは動いて蓋２の方向に移動し、かつ、飾り１の一部も更に傾き或いは動いて飾り１の形状を変化させ、飾り１が蓋２に干渉して押し支え、蓋２の落下を防ぐようにした。【００１３】  こうすることにより、注ぐために容器３を傾けると自然に蓋押え飾り１が、蓋２を押し支えて落下を防ぎ、そして容器を面白く飾る。
【発明の効果】
【００１４】  上述したように本発明の、蓋押え飾りを取付けた蓋付容器は、熱湯にも冷水にも温度に関係なく使えて、しかも蓋の嵌合いがきつくないので蓋の脱着に余分な力は要らず、蓋の持ち上げ、持ち下げ以外の特別な動作も必要なく、注ぐ時に何もしなくても自然に蓋押え飾り１が蓋を支えるので、手で蓋を押える必要はなく便利に使える。【００１５】  これは片手で簡単に取扱ができるので使い易く、力の弱いお年寄や体の不自由な方達にも介護用として使って頂くことができる。【００１６】  そして飾り１そのものの可愛さや、遊び心を含んだ飾り１の形の変化の面白さで、使う人の心をなごませてくれる。【００１７】  また、この蓋押え飾り１は、動物、昆虫その他、色色な種類の形にすることができるので、様様な好みの飾りにして提供することができる。
【発明を実施するための最良の形態】
【００１８】  以下、本発明の実施の形態を図に基づいて説明する。【００１９】  蓋付容器の、取手の柄５の根元側に、容器を装飾する飾り１を取付けている。（図１と図２参照）【００２０】  この飾り１は、重力に従って一定範囲内を傾き又は動き或いは移動し、そして又、重力に従って元の位置の状態に戻る構成にして、【００２１】  更に、この飾り１の一部も個別に重力に従って一定範囲内を傾き又は動き或いは移動し、そして又、重力に従って元の位置の状態に戻る構成にしている。（図３乃至図７参照）【００２２】  以下、上記構成の動作を説明する。注ぐために容器３を傾けると、犬の形をした飾り１の全体が重力に従って傾き動いて、蓋２の方向に移動し、かつ、飾り１の一部である前足が更に傾き動いて、飾り１の形状を変化させて、あたかも座ってた犬が起きて前足で蓋を押えるようにして、蓋２に干渉するので蓋２は押し支えられて落ちなくなるのである（図６と図７参照）【００２３】  この蓋押え飾り１は、犬の形に限らず色色な形の飾りにしても良い。（図８乃至図１１参照）
【図面の簡単な説明】
【００２４】
【図１】本発明の側面図
【図２】背面図
【図３】蓋押え飾りの拡大側面図
【図４】同じく拡大正面図
【図５】同じく拡大背面図
【図６】注ぐために容器を傾けた時の、蓋と蓋押え飾りの関係を示す側面図
【図７】図６の蓋押え飾りの拡大側面図
【図８】他の実施例による場合の、蓋押え飾りの拡大側面図
【図９】同じく、蓋押え飾りの拡大正面図
【図１０】同じく、注ぐために容器を傾けた時の、蓋押え飾りの拡大側面図
【図１１】同じく、注ぐために容器を傾けた時の、蓋と蓋押え飾りの関係を示す側面図
【符号の説明】
【００２５】１  蓋押え飾り
２  蓋
３  容器本体
４  取手
５  取手の柄
６  軸
７  吊り
８  ストッパー
９  おもり
【図１】
2006298477.tif 000003
【図２】
2006298477.tif 000004
【図３】
2006298477.tif 000005
【図４】
2006298477.tif 000006
【図５】
2006298477.tif 000007
【図６】
2006298477.tif 000008
【図７】
2006298477.tif 000009
【図８】
2006298477.tif 000010
【図９】
2006298477.tif 000011
【図１０】
2006298477.tif 000012
【図１１】
2006298477.tif 000013